(57)【要約】      （修正有）【課題】免震機能を有するソール構造を提供する。【解決手段】ソール構造１は、アウトソール１３と、炭素繊維シート１２と、中敷１１Ａとを備える。アウトソールは上部ゴムシート１３１、中底の布１３２及びゴム靴底シート１３３が順に上下に組み合わせられることにより形成される。炭素繊維シートはアウトソールに設置され、底部１２１と、２つの側面屈曲部１２２と、後面屈曲部１２３とを有する。中敷は炭素繊維シートに設置される。２つの側面屈曲部は底部から中敷及び互いの方向に延伸されて湾曲される。後面屈曲部は底部から中敷及び２つの側面屈曲部の方向に延伸されて湾曲される。【選択図】図１Ａ
0003226883.tif 000002
【実用新案登録請求の範囲】
【請求項１】
側辺に側壁を有するアウトソールと、
前記アウトソールに設置され、底部と、２つの側面屈曲部と、後面屈曲部とを有する炭素繊維シートと、
前記２つの側面屈曲部及び前記後面屈曲部の上方に設置される中敷とを備え、
前記２つの側面屈曲部は前記底部から前記中敷及び互いの方向に延伸されて湾曲され、前記後面屈曲部は前記底部から前記中敷及び前記２つの側面屈曲部の方向に延伸されて湾曲されるソール構造。
【請求項２】
前記アウトソールは上部ゴムシート、中底の布及びゴム靴底シートが順に上下に組み合わせられることにより形成される請求項１に記載のソール構造。
【請求項３】
前記中底の布は第一中底の布及び第二中底の布を含み、前記第一中底の布と前記第二中底の布との間には第一ピッチを有し、前記第一中底の布は前記炭素繊維シートの前端に対応し、前記第二中底の布は前記炭素繊維シートの後端に対応し、前記第一ピッチは少なくとも部分的に前記炭素繊維シートの前記２つの側面屈曲部に対応する請求項２に記載のソール構造。
【請求項４】
前記ゴム靴底シートは第一ゴム靴底シートと、第二ゴム靴底シートと、第三ゴム靴底シートとを含み、前記第一ゴム靴底シートと前記第二ゴム靴底シートとの間には第二ピッチを有し、前記第二ゴム靴底シートと前記第三ゴム靴底シートとの間には第三ピッチを有し、前記第一ゴム靴底シートは前記第一中底の布の前段部分に対応し、前記第二ゴム靴底シートは前記第一中底の布の後段部分に対応し、前記第三ゴム靴底シートは前記第二中底の布に対応し、前記第三ピッチは前記第一ピッチに対応する請求項３に記載のソール構造。
【請求項５】
前記第二ピッチは前記第三ピッチより小さい請求項４に記載のソール構造。
【請求項６】
前記第二ピッチは前記第一中底の布の中間部分にほぼ対応する請求項４又は５に記載のソール構造。
【請求項７】
前記第一ゴム靴底シートの側辺には第一側壁を有し、前記第二ゴム靴底シートの側辺には第二側壁を有し、前記第三ゴム靴底シートの側辺には第三側壁を有する請求項４から６のいずれか一項に記載のソール構造。
【請求項８】
前記第一側壁は前記第一ゴム靴底シートの両側辺からそれぞれ上に向けて延伸されると共に部分的に連接されて形成され、前記第二側壁は前記第二ゴム靴底シートの両側辺からそれぞれ上に向けて延伸されて形成され、前記第三側壁は前記第三ゴム靴底シートの両側辺からそれぞれ上に向けて延伸されると共に部分的に連接されて形成される請求項７に記載のソール構造。
【請求項９】
前記第一側壁により少なくとも部分的に前記第一中底の布の前記前段部分が遮蔽され、前記第二側壁により少なくとも部分的に前記第一中底の布の前記後段部分が遮蔽され、前記第三側壁により少なくとも部分な前記２つの側面屈曲部及び部分的な前記後面屈曲部が遮蔽される請求項７に記載のソール構造。
【請求項１０】
前記２つの側面屈曲部は前記中敷の中後端にほぼ対応する請求項１に記載のソール構造。
【請求項１１】
前記後面屈曲部は前記中敷の末端にほぼ対応する請求項１０に記載のソール構造。
【考案の詳細な説明】
【技術分野】
【０００１】
本考案は、ソール構造に関し、より詳しくは、免震機能を有するソール構造に関する。
【背景技術】
【０００２】
科学技術の発展に伴って靴の機能性も日進月歩で進歩している。例えば、様々な場面／用途に応じてバスケットシューズ、ランニングシューズ、カジュアルシューズ等の靴を選ぶようになっている。
【０００３】
従来のスポーツシューズの免震機能については、多くはエアーパッド等が採用されて製造されている。頑健な合成ゴム内に高圧で注入される特殊な高分子ガスの体積が合成ゴム層の微細な隙間より大きいため、エアーパッド中のガスが流失することなく、ガス分子により外からの震動及び衝撃の圧力が吸収されることにより緩衝を実現させている。
【考案の概要】
【考案が解決しようとする課題】
【０００４】
しかしながら、ゴム材質に対する要求及びガスを均等に充填させなければならないという特殊な要求のために、製造が技術的に複雑になり、難度も高い。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、免震機能を有するソール構造を提供することを主目的とする。
【課題を解決するための手段】
【０００７】
上述した課題を解決し、上記目的を達成するための本考案の実施形態に係るソール構造の特徴は、アウトソールと、炭素繊維シートと、中敷とを備える。アウトソールは上部ゴムシート、中底の布及びゴム靴底シートが順に上下に組み合わせられることにより形成される。炭素繊維シートはアウトソールに設置され、底部と、２つの側面屈曲部と、後面屈曲部とを有する。中敷は炭素繊維シートに設置される。
【０００８】
好ましくは、２つの側面屈曲部は底部から中敷及び互いの方向に延伸されて湾曲される。後面屈曲部は底部から中敷及び２つの側面屈曲部の方向に延伸されて湾曲される。
【考案の効果】
【０００９】
先行技術に比べ、本考案の実施形態では製造が容易で免震効果がより優れたソール構造を提供する。
【図面の簡単な説明】
【００１０】
【図１Ａ】本考案の好ましい実施形態に係るソール構造を示す展開図である。
【図１Ｂ】本考案の好ましい実施形態の炭素繊維シートを示す上面図である。
【図２】本考案の他の実施形態に係るソール構造を示す展開図である。
【図３Ａ】本考案の好ましい実施形態に係るソール構造がアッパーに応用される概略図である。
【図３Ｂ】図３Ａに示す実施形態を示す背面図である。
【考案を実施するための形態】
【００１１】
以下、図面を参照しつつ、本考案に係るソール構造について具体的に説明する。尚、以下に説明する実施の形態は、実用新案登録請求の範囲に記載された本考案の内容を限定するものではない。また、以下に説明される構成の全てが、本考案の必須要件であるとは限らない。また、図面を簡略化するため、いくつかの従来の構造及び部材については図面中で簡単な概略のみ図示する。
【００１２】
以下、図１Ａ〜３Ｂを参照しながら、本考案をさらに詳しく説明する。図１Ａ及び図１Ｂに示されるように、ソール構造１は、中敷１１Ａと、炭素繊維シート１２と、アウトソール１３とを備える。中敷１１Ａは好ましくは弾性体材料であり、制限されないが、好ましくは熱可塑性ポリエステル系エラストマー（Thermoplastic Polyester Elastomer、TPEE）、熱可塑性ポリウレタン（Thermoplastic Polyurethane、TPU）、またはその両者の混合材質であり、良好な展延性、耐熱性等の特性を有する。アウトソール１３は上部ゴムシート１３１、中底の布１３２及びゴム靴底シート１３３が順に上下に組み合わせられることにより形成される。中底の布１３２の材質は制限されないが、好ましくはガラス繊維強化プラスチック（Fiber Glass Reinforced Plastics、FRP）である。炭素繊維シート１２はアウトソール１３に設置され、制限されないが、好ましくは高弾性率炭素繊維で製造され、底部１２１と、２つの側面屈曲部１２２と、後面屈曲部１２３とを有する。中敷１１Ａは好ましくは炭素繊維シート１２の２つの側面屈曲部１２２及び後面屈曲部１２３の上方に設置される。
【００１３】
ゴム靴底シート１３３の側辺には側壁（即ち、図面ではゴム靴底シート１３３の側辺から上に向けて延伸される高さ）を有する。側壁は縫合、接合または粘着等の方式で靴のアッパーに連接される。本実施形態に係るソール構造は制限されないが、好ましくはバスケットシューズに使用される。
【００１４】
詳しくは、炭素繊維シート１２は好ましくは底部１２１と、２つの側面屈曲部１２２と、後面屈曲部１２３とを備える。その外観は断面を見ると、Ｃ形状に類似する態様を呈する。２つの側面屈曲部１２２は底部１２１の左右両側から中敷１１Ａ及び互いの方向にそれぞれ延伸されて湾曲される。後面屈曲部１２３は底部１２１から中敷１１Ａ及び２つの側面屈曲部１２２の方向に延伸されて湾曲される。主に高弾性率炭素繊維が屈曲された後に生じる弾性復位力により免震構造が形成される。しかし、他の実施形態では、２つの屈曲部１２２及び後面屈曲部１２３が反対方向に延伸されて湾曲されてもよく、即ち、２つの側面屈曲部１２２が底部１２１の左右両側からアウトソール１３及び互いの方向にそれぞれ延伸されて湾曲され、後面屈曲部１２３が底部１２１からアウトソール１３及び２つの側面屈曲部１２２の方向に延伸されて湾曲されてもよい。
【００１５】
２つの側面屈曲部１２２は中敷１１Ａの中間部の後端部分にほぼ対応し、後面屈曲部１２３は中敷１１Ａの末端部分にほぼ対応する。実際の使用において、２つの側面屈曲部１２２は人体の土踏まず部位にほぼ対応する。後面屈曲部１２３は人体の踵部位にほぼ対応する。
【００１６】
本実施形態では、中底の布１３２は好ましくは特に制限のない製織方法により複数の格子を有する格子構造の織布が形成され、各格子の大きさは好ましくは０．２ｍｍから４ｍｍの範囲であるが、但しこの限りではない。また、上部ゴムシート１３１、中底の布１３２及びゴム靴底シート１３３が上下に熱プレスされることにより上部ゴムシート１３１が中底の布１３２の格子構造を貫通させてゴム靴底シート１３３に粘着されてアウトソール１３が形成される。これにより、本考案に係るアウトソール１３が好ましい強度を有し、一般的な薄ゴムのように簡単には破れない。
中敷１１Ａは制限されないが、好ましくは炭素繊維シート１２に貼り合わせられる。ちなみに、炭素繊維シート１２はアウトソール１３に貼り合わせられるか、貼り合わせられず、具体的には、炭素繊維シート１２は上部ゴムシート１３１に覆設され、且つ炭素繊維シート１２は好ましくは上部ゴムシート１３１と互いに固定／粘着されるか、或いは固定／粘着されない。上部ゴムシート１３１は好ましくは粘着剤により炭素繊維シート１２Ａに粘着されるが、但しこの限りではない。他の実施形態では、圧着、射出接着等の方式でもよい。
【００１７】
使用者がスポーツシューズを履いて湾曲及び／或いは跳躍動作を行うと、上部ゴムシート１３１が炭素繊維シート１２に相互に粘着されていないため、炭素繊維シート１２がアウトソール１３と同時に湾曲せず、跳躍により屈曲される際の応力が炭素繊維シート１２に発生し、且つ中敷１１Ａでは応力が緩衝され、スポーツシューズ全体の弾性が強化されて緩衝効果が更に提供される。
【００１８】
本実施形態では、中底の布１３２は好ましくは互いに分離する２つの第一中底の布１３２１及び第二中底の布１３２２で構成される。第一中底の布１３２１と第二中底の布１３２２との間に挟まれる距離は第一ピッチと定義される。第一中底の布１３２１の設置位置は炭素繊維シート１２の前端部分にほぼ対応し、使用時には人体の足裏部位にほぼ対応する。第二中底の布１３２２の設置位置は炭素繊維シート１２の後端部分にほぼ対応し、使用時には人体の踵部位ほぼ対応する。第一ピッチは少なくとも部分的に炭素繊維シート１２の２つの側面屈曲部１２２に対応し、使用時には人体の土踏まず部位にほぼ対応する。
ゴム靴底シート１３３は好ましくは互いに分離する３つの第一ゴム靴底シート１３３１、第二ゴム靴底シート１３３２及び第三ゴム靴底シート１３３３で構成される。第一ゴム靴底シート１３３１と第二ゴム靴底シート１３３２との間には第二ピッチを有し、第二ゴム靴底シート１３３２と第三ゴム靴底シート１３３３との間には第三ピッチを有する。第一ゴム靴底シート１３３１の設置位置は第一中底の布１３２１に近接する前段部分に対応し、第二ゴム靴底シート１３３２の設置位置は第一中底の布１３２１に近接する後段部分に対応し、第三ゴム靴底シート１３３３の設置位置は第二中底の布１３２２に対応し、第三ピッチは第一ピッチにほぼ対応する。第二ピッチは好ましくは第三ピッチより小さく、且つ第二ピッチは好ましくは第一中底の布１３２１の中間部分にほぼ対応する。
【００１９】
図１Ａを参照すると、第一ゴム靴底シート１３３１の側辺には第一側壁（即ち、上に向けて延伸される高さ）を有し、第二ゴム靴底シート１３３２の側辺には第二側壁を有し、第三ゴム靴底シート１３３３の側辺には第三側壁を有する。第一側壁、第二側壁及び第三側壁は貼り合わせ、粘着または縫合方式でアッパーにそれぞれ連接される。
【００２０】
第一側壁は好ましくは第一ゴム靴底シート１３３１の両側辺からそれぞれ上に向けて延伸されると共に部分的に連接されることにより形成され、人体の爪先に対応する位置が相互に連接されると見做せ（即ち、人体の爪先箇所を包囲させる）、第一側壁により少なくとも部分的に第一中底の布１３２１の前段部分が遮蔽される。第二側壁は第二ゴム靴底シート１３３２の両側辺からそれぞれ上に向けて延伸されて形成され、且つ少なくとも部分的に第一中底の布１３２１の後段部分が遮蔽される。第三側壁は好ましくは第三ゴム靴底シート１３３３の両側辺からそれぞれ上に向けて延伸されると共に部分的に連接されて形成され、人体の踵に対応する位置が相互に連接されると見做せ（即ち、人体の踵箇所を包囲させる）、第三側壁により少なくとも部分的に２つの屈曲部１２２及び部分的な後面屈曲部１２３が遮蔽される。
【００２１】
図は本考案の他の実施形態である。図に示すように、ソール構造１は前述の実施形態とほぼ同じであり、その差異は、本実施形態に係る中敷１１Ｂがエチレン酢酸ビニル（Ethylene Vinyl Acetate、 EVA）材質で製造される点である。その長所は、プラスチックのような物理的剛性及びゴムのような弾性を有し、且つ環境保護の要求にも適う点である。他の細部の構造及び効果については再述しない。
【００２２】
また、図３Ａ及び図３Ｂは本考案の他の実施形態である。主に前述の実施形態のソール構造及びアッパーが結合されて靴２が形成される。本実施形態の靴２は制限されないが、好ましくはバスケットシューズを含む。ちなみに、図３Ａ及び図３Ｂではアウトソールを省略し、炭素繊維シート１２の構造及びその対応位置についての理解を促す。２つの側面屈曲部１２２は人体の土踏まず部位にほぼ対応する。後面屈曲部１２３は人体の踵部位にほぼ対応する。主に高弾性率炭素繊維により屈曲された後に弾性復位力が発生することにより免震構造が形成される。
【００２３】
総合すると、先行技術と比較し、本考案は製造が簡単で、免震効果がより優れたソール構造を提供する。
【００２４】
以上、本考案の実施形態について図面を参照して詳述したが、具体的な構成はこの実施形態に限られるものではなく、本考案の要旨を逸脱しない範囲の設計変更等も含まれる。
【符号の説明】
【００２５】
１  ソール構造
２  靴
１１Ａ  中敷
１１Ｂ  中敷
１２  炭素繊維シート
１３  アウトソール
１２１  底部
１２２  側面屈曲部
１２３  後面屈曲部
１３１  上部ゴムシート
１３２１  第一中底の布
１３２２  第二中底の布
１３３１  第一ゴム靴底シート
１３３２  第二ゴム靴底シート
１３３３  第三ゴム靴底シート
【図１Ａ】
0003226883.tif 000003
【図１Ｂ】
0003226883.tif 000004
【図２】
0003226883.tif 000005
【図３Ａ】
0003226883.tif 000006
【図３Ｂ】
0003226883.tif 000007
【手続補正書】
【提出日】令和2年4月7日(2020.4.7)
【手続補正１】
【補正対象書類名】実用新案登録請求の範囲
【補正対象項目名】全文
【補正方法】変更
【補正の内容】
【実用新案登録請求の範囲】
【請求項１】
側辺に側壁を有するアウトソールと、
前記アウトソールに設置され、底部と、２つの側面屈曲部と、後面屈曲部とを有する炭素繊維シートと、
前記２つの側面屈曲部及び前記後面屈曲部の上方に設置される中敷とを備え、
前記２つの側面屈曲部は前記底部から前記中敷及び互いの方向に延伸されて湾曲され、前記後面屈曲部は前記底部から前記中敷及び前記２つの側面屈曲部の方向に延伸されて湾曲されるソール構造。
【請求項２】
前記アウトソールは上部ゴムシート、中底の布及びゴム靴底シートが順に上下に組み合わせられることにより形成される請求項１に記載のソール構造。
【請求項３】
前記中底の布は第一中底の布及び第二中底の布を含み、前記第一中底の布と前記第二中底の布との間には第一ピッチを有し、前記第一中底の布は前記炭素繊維シートの前端に対応し、前記第二中底の布は前記炭素繊維シートの後端に対応し、前記第一ピッチは少なくとも部分的に前記炭素繊維シートの前記２つの側面屈曲部に対応する請求項２に記載のソール構造。
【請求項４】
前記ゴム靴底シートは第一ゴム靴底シートと、第二ゴム靴底シートと、第三ゴム靴底シートとを含み、前記第一ゴム靴底シートと前記第二ゴム靴底シートとの間には第二ピッチを有し、前記第二ゴム靴底シートと前記第三ゴム靴底シートとの間には第三ピッチを有し、前記第一ゴム靴底シートは前記第一中底の布の前段部分に対応し、前記第二ゴム靴底シートは前記第一中底の布の後段部分に対応し、前記第三ゴム靴底シートは前記第二中底の布に対応し、前記第三ピッチは前記第一ピッチに対応する請求項３に記載のソール構造。
【請求項５】
前記第二ピッチは前記第三ピッチより小さい請求項４に記載のソール構造。
【請求項６】
前記第二ピッチは前記第一中底の布の中間部分にほぼ対応する請求項４又は５に記載のソール構造。
【請求項７】
前記第一ゴム靴底シートの側辺には第一側壁を有し、前記第二ゴム靴底シートの側辺には第二側壁を有し、前記第三ゴム靴底シートの側辺には第三側壁を有する請求項４から６のいずれか一項に記載のソール構造。
【請求項８】
前記第一側壁は前記第一ゴム靴底シートの両側辺からそれぞれ上に向けて延伸されると共に部分的に連接されて形成され、前記第二側壁は前記第二ゴム靴底シートの両側辺からそれぞれ上に向けて延伸されて形成され、前記第三側壁は前記第三ゴム靴底シートの両側辺からそれぞれ上に向けて延伸されると共に部分的に連接されて形成される請求項７に記載のソール構造。
【請求項９】
前記第一側壁により少なくとも部分的に前記第一中底の布の前記前段部分が遮蔽され、前記第二側壁により少なくとも部分的に前記第一中底の布の前記後段部分が遮蔽され、前記第三側壁により少なくとも部分な前記２つの側面屈曲部及び部分的な前記後面屈曲部が遮蔽される請求項７に記載のソール構造。
【請求項１０】
前記２つの側面屈曲部は前記中敷の中後端にほぼ対応する請求項１に記載のソール構造。
【請求項１１】
前記後面屈曲部は前記中敷の後端にほぼ対応する請求項１０に記載のソール構造。